(57)【要約】  【課題】本発明の目的は、固着残像を防止して画像の品質を向上させるプラズマディスプレイ装置及びその駆動方法を提供することにある。  【解決手段】複数のスキャン電極Ｙとサステイン電極Ｚを含むプラズマディスプレイパネルと、複数のスキャン電極Ｙとサステイン電極Ｚで駆動電圧を供給する駆動部とを含み、入力される映像データの変化率がしきい変化率以下でしきい時間以上持続する固着映像パターンの場合に、しきい時間以後のサブフィールドのサステイン期間で、スキャン電極Ｙとサステイン電極Ｚの内で一つ以上に供給されるサステインパルスの個数を調節することを特徴とするプラズマディスプレイ装置。  【選択図】図５
2007025675.tif 000002
【特許請求の範囲】
【請求項１】
複数のスキャン電極とサステイン電極を含むプラズマディスプレイパネルと、
前記複数のスキャン電極とサステイン電極で駆動電圧を供給する駆動部とを含み、
入力される映像データの変化率がしきい変化率以下でしきい時間以上持続する固着映像パターンの場合に、
前記しきい時間以後のサブフィールドのサステイン期間で前記スキャン電極とサステイン電極の内で一つ以上に供給されるサステインパルスの個数を調節することを特徴とするプラズマディスプレイ装置。
【請求項２】
入力される映像データの変化率がしきい変化率以下でしきい時間以上持続する固着映像パターンの場合に、
前記しきい時間以後のサブフィールドのサステイン期間で前記スキャン電極とサステイン電極の内で一つ以上に供給されるサステインパルスの個数は正常パターンの場合より減少すること
を特徴とする、請求項１記載のプラズマディスプレイ装置。
【請求項３】
入力される映像データの変化率がしきい変化率以下でしきい時間以上持続する固着映像パターンの場合に、
前記しきい時間以後のサブフィールドのサステイン期間で前記スキャン電極とサステイン電極の内で一つ以上に供給されるサステインパルスのエネルギー供給時間（ＥＲ Ｕｐ−Ｔｉｍｅ）は正常パターンの場合より長いこと
を特徴とする、請求項２記載のプラズマディスプレイ装置。
【請求項４】
前記駆動部は、
サステイン期間に前記スキャン電極とサステイン電極の内で一つ以上に負極性サステインパルスを供給すること
を特徴とする、請求項２記載のプラズマディスプレイ装置。
【請求項５】
前記しきい変化率は以前フレームの映像データと現在フレームの映像データ間の差の全体映像データに対する割合であり、全体映像データの１０％以下であること
を特徴とする請求項２記載のプラズマディスプレイ装置。
【請求項６】
前記しきい時間は 一秒であること
を特徴とする、請求項２記載のプラズマディスプレイ装置。
【請求項７】
前記しきい時間以上で入力される映像データの変化率がしきい変化率以下で維持される時間が増加するによって、前記しきい時間以後のサブフィールドのサステイン期間で前記スキャン電極とサステイン電極の内で一つ以上に供給されるサステインパルスの個数はさらに減少すること
を特徴とする、請求項２記載のプラズマディスプレイ装置。
【請求項８】
前記しきい時間以上で入力される映像データの変化率がしきい変化率以下で維持される時間が増加するによって減少されるサステインパルスの個数は一定であること
を特徴とする、請求項７記載のプラズマディスプレイ装置。
【請求項９】
スキャン電極とサステイン電極を含むプラズマディスプレイパネルと、
前記スキャン電極とサステイン電極で駆動電圧を供給する駆動部とを含み、
入力される映像データの変化率がしきい変化率以下でしきい時間以上持続する固着映像パターンの場合に、
前記しきい時間以後のサブフィールドのサステイン期間で前記スキャン電極とサステイン電極の内で一つ以上に供給されるサステインパルスの電圧の大きさを調節すること
を特徴とするプラズマディスプレイ装置。
【請求項１０】
入力される映像データの変化率がしきい変化率以下でしきい時間以上持続する固着映像パターンの場合に、
前記しきい時間以後のサブフィールドのサステイン期間で前記スキャン電極とサステイン電極の内で一つ以上に供給されるサステインパルスの電圧の大きさは正常パターンの場合より減少することを特徴とする、請求項９記載のプラズマディスプレイ装置。
【請求項１１】
前記駆動部は、
サステイン期間に前記スキャン電極とサステイン電極の内で一つ以上に負極性サステインパルスを供給すること
を特徴とする、請求項１０記載のプラズマディスプレイ装置。
【請求項１２】
前記しきい変化率は、以前フレームの映像データと現在フレームの映像データ間の差の全体映像データに対する割合であり、全体映像データの１０％以下であることを特徴とする、請求項１０記載のプラズマディスプレイ装置。
【請求項１３】
前記しきい時間は 一秒であること
を特徴とする、請求項１０記載のプラズマディスプレイ装置。
【請求項１４】
前記しきい時間以上で入力される映像データの変化率がしきい変化率以下で維持される時間が増加するによって、前記しきい時間以後のサブフィールドのサステイン期間で前記スキャン電極とサステイン電極の内で一つ以上に供給されるサステインパルスの電圧の大きさはさらに減少すること
を特徴とする、請求項１０記載のプラズマディスプレイ装置。
【請求項１５】
前記しきい時間以上で入力される映像データの変化率がしきい変化率以下で維持される時間が増加するによって減少されるサステインパルスの電圧の大きさは一定であること
を特徴とする、請求項１４記載のプラズマディスプレイ装置。
【請求項１６】
スキャン電極とサステイン電極を含むプラズマディスプレイ装置の駆動方法において、
入力される映像データの変化率がしきい変化率以下でしきい時間以上持続する固着映像パターンの場合に、
前記しきい時間以後のサブフィールドのサステイン期間で前記スキャン電極とサステイン電極の内で一つ以上に供給されるサステインパルスの個数またはサステインパルスの電圧の大きさを調節すること
を特徴とするプラズマディスプレイ装置の駆動方法。
【請求項１７】
入力される映像データの変化率がしきい変化率以下でしきい時間以上持続する固着映像パターンの場合に、
前記しきい時間以後のサブフィールドのサステイン期間で前記スキャン電極とサステイン電極の内で一つ以上に供給されるサステインパルスの個数は正常パターンの場合より減少されること
を特徴とする、請求項１６記載のプラズマディスプレイ装置の駆動方法。
【請求項１８】
前記しきい変化率は、以前フレームの映像データと現在フレームの映像データ間の差の全体映像データに対する割合であり、全体映像データの１０％以下であること
を特徴とする、請求項１６記載のプラズマディスプレイ装置の駆動方法。
【請求項１９】
前記しきい時間は一秒であることを
特徴とする、請求項１６記載のプラズマディスプレイ装置の駆動方法。
【発明の詳細な説明】
【技術分野】
【０００１】
本発明はディスプレイ装置に関し、より詳しくはプラズマディスプレイ装置及びその駆動方法に関する。
【背景技術】
【０００２】
プラズマディスプレイ装置は、一般的に画像を表示するプラズマディスプレイパネルとプラズマディスプレイパネルを駆動させるための駆動部がプラズマディスプレイパネルの背面に附着して形成される。
【０００３】
一般的にプラズマディスプレイパネルは、前面パネルと背面パネルの間に形成された隔壁が一つの単位放電セルを成すことで、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。前述の単位放電セルは、複数個が集まって一つの画素（Ｐｉｘｅｌ）を成す。例えば、赤色（Ｒｅｄ、Ｒ）セル、緑（Ｇｒｅｅｎ、Ｇ）セル、青色（Ｂｌｕｅ、Ｂ）セルが集まって一つのピクセルを成すのである。
【０００４】
このような単位放電セルに高周波電圧が印加されて放電する時、不活性ガスは真空紫外線（Ｖａｃｕｕｍ Ｕｌｔｒａ Ｖｉｏｌｅｔ ｒａｙｓ）を発生して隔壁の間に形成された蛍光体を発光させて画像が具現される。
【０００５】
プラズマディスプレイパネルは複数の電極、例えばスキャン電極（Ｙ）、サステイン電極（Ｚ）、アドレス電極（Ｘ）を含み、このようなプラズマディスプレイパネルの電極に駆動電圧を供給するための駆動部がそれぞれの電極に接続される。
【０００６】
各駆動部は、プラズマディスプレイパネル駆動の時所定期間に、例えばリセット期間にリセットパルス、アドレス期間にスキャンパルス、サステイン期間にサステインパルスのような駆動パルスをプラズマディスプレイパネルの電極に供給して画像を具現するようになるのである。このようなプラズマディスプレイ装置は、薄く軽い構成が可能なので現在表示装置として脚光を浴びている。
【０００７】
一方、 このように駆動される従来プラズマディスプレイ装置では、蛍光体など放電に影響を及ぼす多くの因子によって画面上に固着残像が発生する可能性があるが、これを注意深くみれば、次の図１のようである。
【０００８】
図１は従来プラズマディスプレイパネルで発生される残像を説明するための図である。
【０００９】
図１を注意深くみれば、（ａ）に示すように、パネル表示面１０の内局所的に所定領域１２に放電を発生させる。引き継いで、（ｂ）に示すように前述の所定領域１２の放電を停止させるか、他のパターンの放電、すなわち他の映像に移るようになれば、前述の所定領域１２は次の映像に残像で現われるようになる問題点がある。
【００１０】
このような残像は等しい画面が持続する場合や画面の変化がほとんど無いか微小な場合さらに深刻になって固着残像を誘発させる。例えば、連続されて入って来る映像データの変化率がないか、しきい変化率以下で持続する場合、それによるサステインパルスが放電セル内に同一または類似のパターンに印加されるようになる。この時、放電セル内の壁電荷の分布は固着化されて、これによって蛍光体など放電に影響を及ぼす因子の固着化もさらに深刻になる。これによりパネル表示面に具現される映像は、固着した以前の映像が次の映像に残像で現われるようになる固着残像が深刻になるのである。
【００１１】
一方、プラズマディスプレイ装置は、徐々に高輝度を追求しているが、このような高輝度を実現させるために一つ例では、サステインパルスのピーク値を高くしてピーク輝度を高めることができる。しかし、サステインパルスなど電圧のピーク値を高くすれば強い放電によって蛍光体を多く励起するようになって、それによって固着状態をさらに惹起させて固着残像の発生をさらに深化させる問題点がある。
【発明の開示】
【発明が解決しようとする課題】
【００１２】
本発明の目的は、固着残像を防止して画像の品質を向上させるプラズマディスプレイ装置及びその駆動方法を提供することにある。
【課題を解決するための手段】
【００１３】
本発明の第１実施形態によるプラズマディスプレイ装置は、複数のスキャン電極とサステイン電極を含むプラズマディスプレイパネルと、 前記複数のスキャン電極とサステイン電極で駆動電圧を供給する駆動部とを含み、入力される映像データの変化率がしきい変化率以下でしきい時間以上持続する固着映像パターンの場合に、前記しきい時間以後のサブフィールドのサステイン期間で前記スキャン電極とサステイン電極の内で一つ以上に供給されるサステインパルスの個数を調節することを特徴とする。
【００１４】
入力される映像データの変化率がしきい変化率以下でしきい時間以上持続する固着映像パターンの場合に、前記しきい時間以後のサブフィールドのサステイン期間で前記スキャン電極とサステイン電極の内で一つ以上に供給されるサステインパルスの個数は正常パターンの場合より減少することを特徴とする。
【００１５】
入力される映像データの変化率がしきい変化率以下でしきい時間以上持続する固着映像パターンの場合に、前記しきい時間以後のサブフィールドのサステイン期間で前記スキャン電極とサステイン電極の内で一つ以上に供給されるサステインパルスのエネルギー供給時間（ＥＲ Ｕｐ−Ｔｉｍｅ）は正常パターンの場合より長いことを特徴とする。
【００１６】
前記駆動部はサステイン期間に前記スキャン電極とサステイン電極の内で一つ以上に負極性サステインパルスを供給することを特徴とする。
【００１７】
前記しきい変化率は以前フレームの映像データと現在フレームの映像データ間の差の全体映像データに対する割合であり、全体映像データの１０％以下であることを特徴とする。
【００１８】
前記しきい時間は１秒であることをを特徴とする。
【００１９】
前記しきい時間以上で入力される映像データの変化率がしきい変化率以下で維持される時間が増加するによって、前記しきい時間以後のサブフィールドのサステイン期間で前記スキャン電極とサステイン電極の内で一つ以上に供給されるサステインパルスの個数はさらに減少することを特徴とする。
【００２０】
前記しきい時間以上で入力される映像データの変化率がしきい変化率以下で維持される時間が増加するによって減少されるサステインパルスの個数は一定であることを特徴とする。
【００２１】
本発明の第２実施形態によるプラズマディスプレイ装置はスキャン電極とサステイン電極を含むプラズマディスプレイパネルと、前記スキャン電極とサステイン電極で駆動電圧を供給する駆動部とを含み、入力される映像データの変化率がしきい変化率以下でしきい時間以上持続する固着映像パターンの場合に、前記しきい時間以後のサブフィールドのサステイン期間で前記スキャン電極とサステイン電極の内で一つ以上に供給されるサステインパルスの電圧の大きさを調節することを特徴とする。
【００２２】
入力される映像データの変化率がしきい変化率以下でしきい時間以上持続する固着映像パターンの場合に、前記しきい時間以後のサブフィールドのサステイン期間で前記スキャン電極とサステイン電極の内で一つ以上に供給されるサステインパルスの電圧の大きさは正常パターンの場合より減少することを特徴とする。
【００２３】
前記駆動部はサステイン期間に前記スキャン電極とサステイン電極の内で一つ以上に負極性サステインパルスを供給することを特徴とする。
【００２４】
前記しきい変化率は、以前フレームの映像データと現在フレームの映像データ間の差の全体映像データに対する割合であり、全体映像データの１０％以下であることを特徴とする。
【００２５】
前記しきい時間は１秒であることを特徴とする。
【００２６】
前記しきい時間以上で入力される映像データの変化率がしきい変化率以下で維持される時間が増加するによって、前記しきい時間以後のサブフィールドのサステイン期間で前記スキャン電極とサステイン電極の内で一つ以上に供給されるサステインパルスの電圧の大きさはさらに減少することを特徴とする。
【００２７】
前記しきい時間以上で入力される映像データの変化率がしきい変化率以下で維持される時間が増加するによって減少されるサステインパルスの電圧の大きさは一定であることを特徴とする。
【００２８】
本発明の第３実施形態によるプラズマディスプレイ装置の駆動方法は、スキャン電極とサステイン電極を含むプラズマディスプレイ装置の駆動方法において、入力される映像データの変化率がしきい変化率以下でしきい時間以上持続する固着映像パターンの場合に、前記しきい時間以後のサブフィールドのサステイン期間で前記スキャン電極とサステイン電極の内で一つ以上に供給されるサステインパルスの個数またはサステインパルスの電圧の大きさを調節することを特徴とする。
【００２９】
入力される映像データの変化率がしきい変化率以下でしきい時間以上持続する固着映像パターンの場合に、前記しきい時間以後のサブフィールドのサステイン期間で前記スキャン電極とサステイン電極の内で一つ以上に供給されるサステインパルスの個数は正常パターンの場合より減少されることを特徴とする。
【００３０】
前記しきい変化率は以前フレームの映像データと現在フレームの映像データ間の差の全体映像データに対する割合であり、全体映像データの１０％以下のことを特徴とする。
【００３１】
前記しきい時間は 一秒であることを特徴とする。
【発明の効果】
【００３２】
上記のように本発明のプラズマディスプレイ装置は、入力される映像のパターンによってフレームのサブフィールド内の一つ以上のサブフィールドのサステイン期間でスキャン電極とサステイン電極の内一つ以上に供給されるサステインパルスの個数またはサステインパルスの電圧の大きさをそれぞれ調節することもでき、またこれらを組み合わせて調節することで固着残像を効果的に低減させることができる。
【発明を実施するための最良の形態】
【００３３】
以下では本発明による具体的な実施形態を添付された図面を参照して説明する。
【００３４】
図２は本発明の一つの実施形態によるプラズマディスプレイ装置を示す図である。
図２に示すように、本発明の一つの実施形態によるプラズマディスプレイ装置は、外部から入力される映像データを映像処理して画像が具現されるプラズマディスプレイパネル１００と、プラズマディスプレイパネル１００に形成されたアドレス電極（Ｘ１乃至Ｘｍ）にデータを供給するためのデータ駆動部２００と、スキャン電極（Ｙ１乃至Ｙｎ）を駆動するためのスキャン駆動部３００と、共通電極であるサステイン電極（Ｚ）を駆動するためのサステイン駆動部４００と、それぞれの駆動部を制御するためのコントロール部５００と、それぞれの駆動部（２００、３００、４００）に必要な駆動電圧を供給するための駆動電圧発生部６００を含む。
【００３５】
ここで、本発明の理解を助けるために図３を参照してプラズマディスプレイ装置の駆動方法の一例を説明する。
【００３６】
図３は本発明のプラズマディスプレイ装置の画像階調を具現する方法の一例を示す図である。
【００３７】
図３に示すように、プラズマディスプレイパネルに画像を具現させるために本発明のプラズマディスプレイ装置は、一フレームを複数のサブフィールドで分けて駆動することができる。すなわち、各サブフィールドをすべてのセルを初期化させるためのリセット期間、放電するセルを選択するためのアドレス期間及び放電回数によって階調を具現するサステイン期間に分けて駆動することができる。
【００３８】
例えば、２５６階調で画像を表示しようとする場合に１／６０ 秒にあたるフレーム期間（１６。６７ｍｓ）は、８個のサブフィールド（ＳＦ１乃至ＳＦ８）で分けられるようになる。8個のサブフィールド（ＳＦ１乃至ＳＦ８）それぞれは、前述のように、リセット期間（ＲＰ）、アドレス期間（ＡＰ）及びサステイン期間（ＳＰ）で分けられる。この時、各サブフィールドのリセット期間（ＲＰ）とアドレス期間（ＡＰ）は、各サブフィールドごとに等しい一方、サステイン期間とそれに割り当てされるサステイン信号の数は各サブフィールドで２ｎ（ｎ＝０、１、２、３、４、５、６、７）の割合で増加される。このように各サブフィールドでサステイン期間が変わるので、各サブフィールドのサステイン期間すなわち、サステイン放電回数を調節して画像の階調を表現するようになる。
【００３９】
以後は図２の本発明のプラズマディスプレイ装置の一つの実施形態をさらに注意深くみる。
【００４０】
図２の本発明の一つの実施形態によるプラズマディスプレイ装置は、前述のプラズマディスプレイパネル１００と、それぞれの駆動部（２００、３００、４００）と、それぞれの駆動部を制御するためのコントロール部５００と、駆動電圧発生部６００と、を含む。
【００４１】
プラズマディスプレイパネル１００は、前面基板（図示せず）と背面基板 (図示せず)が一定な間隔を置いて合着されて、前面基板には一例で複数の電極例えば、スキャン電極（Ｙ１乃至Ｙｎ）及びサステイン電極（Ｚ）が対を成して形成されて、背面基板にはスキャン電極（Ｙ１ 乃至Ｙｎ）及びサステイン電極（Ｚ）と交差されるようにアドレス電極（Ｘ１乃至Ｘｍ）が形成される。
【００４２】
データ駆動部２００は、図示しない逆ガンマ補正回路、誤差拡散回路等によって逆ガンマ補正及び誤差拡散された後、サブフィールドマッピング回路によってあらかじめ設定されたサブフィールドパターンにマッピングされたデータが供給される。このデータ駆動部２００は、コントロール部５００の制御下に、データをサンプリングしてラッチした後、そのデータによってデータパルスの電圧をアドレス電極（Ｘ１乃至Ｘｍ）に供給する。
【００４３】
スキャン駆動部３００は、コントロール部５００の制御の下にリセット期間の間スキャン電極（Ｙ１乃至Ｙｎ）にリセット波形を印加して全画面に対応する放電セルを初期化する。 すなわち、スキャン駆動部３００は、リセット波形（Ｓｅｔ−ｕｐ，Ｓｅｔ−ｄｏｗｎ）をスキャン電極（Ｙ１乃至Ｙｎ）に供給した後、アドレス期間でスキャン基準電圧（Ｖｓｃ）を供給して、スキャン基準電圧（Ｖｓｃ）から負極性レベルに立ち下がるスキャンパルスの電圧（−Ｖｙ）を供給してスキャン電極ラインをスキャンする。
【００４４】
またスキャン駆動部３００は、サステイン期間の間、アドレス期間で選択されたセルでサステイン放電が起きることができるようにするサステインパルスをスキャン電極（Ｙ１乃至Ｙｎ）に供給する。
【００４５】
ここで、本発明の実施形態によるスキャン駆動部３００は、入力される映像データの変化率がしきい変化率以下でしきい時間以上持続する固着映像パターンの場合に、前述のしきい時間以後のフレームのサブフィールド内の一つ以上のサブフィールドのサステイン期間で、スキャン電極（Ｙ）に供給されるサステインパルスの個数またはサステインパルスの電圧の大きさを調節することができる。これは図５以下でより詳しく説明する。
【００４６】
サステイン駆動部４００は、コントロール部５００の制御の下に、サステイン期間の間、スキャン駆動部３００と交互に動作してサステインパルスをサステイン電極（Ｚ）に供給する。
【００４７】
ここで、本発明の実施形態によるサステイン駆動部４００は、入力される映像データの変化率がしきい変化率以下でしきい時間以上持続する固着映像パターンの場合に、前述のしきい時間以後のフレームのサブフィールド内の一つ以上のサブフィールドのサステイン期間で、サステイン電極（Ｚ）に供給されるサステインパルスの個数またはサステインパルスの電圧の大きさを調節することができる。これは図５以下でより詳しく説明する。
【００４８】
コントロール部５００は、垂直/水平同期信号を入力されて、各駆動部に必要なタイミング制御信号（ＣＴＲＸ、ＣＴＲＹ、ＣＴＲＺ）を発生して、そのタイミング制御信号（ＣＴＲＸ、 ＣＴＲＹ、 ＣＴＲＺ）を該当の駆動部（２００、３００、４００）に供給することで、各駆動部（２００、３００、４００）を制御する。データ駆動部１３に印加されるタイミング制御信号（ＣＴＲＸ）には、データをサンプリングするためのサンプリングクロック、 ラッチ制御信号、エネルギー回収回路と駆動スイッチ素子のオン/オフタイムを制御するためのスイッチ制御信号が含まれる。
【００４９】
スキャン駆動部３００に印加されるタイミング制御信号（ＣＴＲＹ）には、スキャン駆動部３００内のエネルギー回収回路と駆動スイッチ素子のオン/オフタイムを制御するためのスイッチ制御信号が含まれる。サステイン駆動部４００に印加されるタイミング制御信号（ＣＴＲＺ）には、サステイン駆動部４００内のエネルギー回収回路と駆動スイッチ素子のオン/オフタイムを制御するためのスイッチ制御信号が含まれる。
【００５０】
駆動電圧発生部６００は、一例でサステイン電圧（Ｖｓ）、スキャン基準電圧（Ｖｓｃ）、データ電圧（Ｖａ）、スキャン電圧（−Ｖｙ）などの各駆動部（２００、３００、４００）で要する各種駆動電圧を発生する。このような駆動電圧は、放電ガスの組成や放電セル構造によって変わることができる。
【００５１】
本発明の理解を助けるためにこのような本発明のプラズマディスプレイ装置の駆動波形の一例を注意深くみれば、次の図４のようである。
【００５２】
図４は本発明のプラズマディスプレイ装置の駆動波形の一例を示す図である。
図４に示すように、プラズマディスプレイパネルは、すべてのセルを初期化させるためのリセット期間、放電するセルを選択するためのアドレス期間、選択されたセルの放電を維持させるためのサステイン期間で分けられて駆動される。ここで、放電したセル内の壁電荷を消去するための消去期間が含まれることもできる。
【００５３】
リセット期間において、セットアップ期間にはすべてのスキャン電極にセットアップ波形（Ｓｅｔ−Ｕｐ）が同時に印加される。このセットアップ波形によって、全画面の放電セル内には弱い暗放電（Ｄａｒｋ Ｄｉｓｃｈａｒｇｅ）が起きる。このセットアップ放電によってアドレス電極（Ｘ）とサステイン電極（Ｚ）上には正極性壁電荷が積もるようになって、スキャン電極（Ｙ）上には負極性の壁電荷が積もるようになる。
【００５４】
セッダウン期間にはセットアップ波形が供給された後、セットアップ波形のピーク電圧より低い正極性電圧から落ち始めて特定電圧レベルまで落ちるセッダウン波形（Ｓｅｔ−ｄｏｗｎ）がセル内に微弱な消去放電を起こすことで、スキャン電極に過度に形成された壁電荷を充分に消去させるようになる。このセッダウン放電によってアドレス放電が安定するように起きることができるほどの壁電荷がセル内に均一に残留することになる。
【００５５】
アドレス期間には、負極性スキャンパルスがスキャン電極（Ｙ）に順に印加されることと同時に、スキャンパルスに同期されてアドレス電極（Ｘ）に正極性のデータパルスが印加される。このスキャンパルスとデータパルスの電圧差とリセット期間に生成された壁電圧が加わりながら、データパルスが印加される放電セル内にはアドレス放電が発生される。アドレス放電によって選択されたセル内には、サステイン電圧（Ｖｓ）が印加される時放電が起きることができるようにする位の壁電荷が形成される。サステイン電極（Ｚ）には、セッダウン期間またはアドレス期間の間内の一つ以上の期間でスキャン電極との電圧差を減らしてスキャン電極との誤放電が起きないように正極性電圧（Ｖｚ）が供給される。
【００５６】
サステイン期間には、スキャン電極（Ｙ）とサステイン電極（Ｚ）に交互にサステインパルス（Ｓｕｓ）が印加される。アドレス放電によって選択されたセルは、セル内の壁電圧とサステインパルスが加わりながら、毎サステインパルスが印加される度にスキャン電極とサステイン電極の間にサステイン放電すなわち、表示放電が起きるようになる。
【００５７】
サステイン放電が完了した後、消去期間ではパルス幅と電圧レベルが小さな消去ランプ波形（Ｒａｍｐ−ｅｒｓ）の電圧がサステイン電極（Ｚ）に供給されて、全画面のセル内に残る壁電荷を消去させるようになる。
【００５８】
ここで、本発明の実施形態によるプラズマディスプレイ装置の駆動方法は、入力される映像データの変化率がしきい変化率以下でしきい時間以上持続する固着映像パターンの場合に、前述のしきい時間以後のフレームのサブフィールド内の一つ以上のサブフィールドのサステイン期間で、スキャン電極（Ｙ）とサステイン電極（Ｚ）の内一つ以上に供給されるサステインパルスの個数、サステインパルスの電圧の大きさを調節して固着残像を低減させることができる。次の図５以下を参照して具体的に説明する。
【００５９】
図５は本発明のプラズマディスプレイ装置の駆動方法の第１実施形態を示す図である。
【００６０】
図５に示すように、複数個のサブフィールドが一つのフレームを成して画像を表示するプラズマディスプレイ装置は、入力される映像データの変化率がしきい変化率以下でしきい時間以上持続する固着映像パターンの場合に、前述のしきい時間以後のフレームのサブフィールドのサステイン期間でスキャン電極（Ｙ）とサステイン電極（Ｚ）の内一つ以上に供給されるサステインパルスの個数が調節される。すなわち、一つの例で図５の正常パターンの場合はサステイン期間にスキャン電極（Ｙ）とサステイン電極（Ｚ）の内一つ以上に５個のパルスが印加されるのに比べて、固着映像パターンでは正常パターンより少なく3個で印加して固着状態を低減させることができるようにする。
【００６１】
ここで、前述の固着映像パターンの場合には、順次に入力されるフレームの映像データの変化率がしきい変化率以下でしきい時間以上維持されることで放電セル内での壁電荷の分布の固着化が進行される。
【００６２】
さらにしきい変化率以下の映像データによって印加される類似のサステインパルスが蛍光体も固着するようになり、画面上に次の映像データが入力されても以前映像データによって生成された固着状態が次の映像に残像として発生されるようになるのである。すなわち、サステインパルスによって壁電荷状態が固着して、ここにまたサステインパルスが印加されれば蛍光体等の因子が固着して画面上に固着残像が発生されるのである。
【００６３】
これに対応して、本発明では前記固着映像パターンの映像データによってサステイン期間のサステインパルスも類似のパターンに入力されることを防止して、放電セル内の壁電荷の分布が固着することを抑制するのである。
【００６４】
一方、より望ましくは、サステイン期間にスキャン電極とサステイン電極の内一つ以上に入力されるサステインパルスの個数を正常パターンより減少させて放電を弱くすることで壁電荷分布の固着を減らして固着残像の発生を抑制するのである。
【００６５】
このような固着映像パターンで前述の以前フレームの映像データと現在フレームの映像データ間の差の全体映像データに対する割合であるしきい変化率は、全体映像データの１０％以下に限定することができる。また、前述のしきい変化率以下の映像データが持続するしきい時間は１秒に限定することができる。しきい変化率の算出は、例えば、以下の式（１）又は式（２）を用いて行うことができる。
しきい値変化率＝−｛（以前フレームの映像データ）−（現在フレームの映像データ）｝／（現在フレームの映像データ）・・・・・・・・・・・・・・・・・（１）
しきい変化率＝−｛（現在フレームの映像データ）−（以前フレームの映像データ）｝／（以前フレームの映像データ）・・・・・・・・・・・・・・・・・（２）
【００６６】
また、 固着映像パターンの場合にフレームのサブフィールドのサステイン期間でサステインパルスの個数を減らすことに加えて、図５のＡ領域のようにサステインパルスの傾きを調節することもできる。これをより注意深くみれば、次の図６のようである。
【００６７】
図６は図５の本発明のプラズマディスプレイ装置の駆動波形の内でサステインパルスのエネルギー供給時間を詳しく説明するための図である。
【００６８】
図６に示すように、図５のＡ領域を注意深くみれば、サステイン期間でスキャン電極とサステイン電極の内一つ以上に供給されるサステインパルスが印加される時点からサステイン電圧（Ｖｓ）に至る時点までであるエネルギー供給時間（ＥＲ Ｕｐ−Ｔｉｍｅ）が、正常パターンの場合はｔ１であり、固着映像パターンの場合はｔ２（＞ｔ１）に長く調節されることが分かる。 これは、固着映像パターンでは正常パターンである時よりサステインパルスの個数が少なくなるので、サステイン期間に余裕が生じて駆動期間を維持しながらも前述のエネルギー供給時間を長く与えることができるからである。このように電圧が供給される時間を長く、すなわち時間当り電圧変化率を小さくして放電を弱くすることで、より効果的に壁電荷分布の固着を減らして固着残像の発生を抑制することができる。
【００６９】
また、より望ましくは、図面には示されなかったがサステイン期間でスキャン電極とサステイン電極の内一つ以上に供給されるサステインパルスが負極性になるようにして、電子に比べて重い陽イオンがサステイン電極があるパネルの方に引かれて行くことで、その反対パネルの方の蛍光体に与える影響を最小化させて、蛍光体によって表示される映像に現われる固着残像をより効果的にとり除くことができる。
【００７０】
一方、 前述の固着映像パターンのしきい時間によってサステインパルスの個数を調節することもできる。これを注意深くみれば、次の図７のようである。
【００７１】
図７は本発明の第１実施形態でしきい時間とサステインパルスの個数の相関関係を説明するための図である。
【００７２】
入力される映像データの変化率がしきい変化率以下でしきい時間以上持続する固着映像パターンの場合に、映像データの変化率がしきい変化率以下で持続する時間が増加するによって、しきい時間以後のフレームのサブフィールドのサステイン期間でスキャン電極とサステイン電極の内一つ以上に供給されるサステインパルスの個数をさらに減少させる。
【００７３】
より望ましくは前述の映像データの変化率がしきい変化率以下で持続する時間が増加するによって減少されるサステインパルスの個数は一定になるようにする。
【００７４】
図７のように、しきい時間以上で一定な時間間隔で二つ以上のしきい時間を設定することができるが、このようなしきい時間は、第１しきい時間と、第１しきい時間より遅い第２しきい時間を含む。第１しきい時間以後前記第２しきい時間以前での前記フレームのサブフィールドの内一つ以上のサブフィールドのサステイン期間で、スキャン電極とサステイン電極の内一つ以上に供給されるサステインパルスの個数は、前記第２しきい時間以後における個数よりさらに多くする。すなわち、しきい時間をｎ個で分けてしきい時間が増加するほどサステインパルスを１個ずつ一定に減少させて駆動を体系的に制御することができる。
【００７５】
このように、 映像データの変化率がしきい変化率以下で持続する時間が増加するによってパルスの個数を減少させれば、映像データの変化率がしきい変化率以下で持続する時間が増加するによって増加する放電セル内の壁電荷分布の固着化を効果的に改善することができる。
【００７６】
以上でサステインパルスの個数を調節することとは異なりサステインパルスの電圧の大きさを調節することもできる。これを注意深くみれば、図８のようである。
【００７７】
図８は本発明のプラズマディスプレイ装置の駆動方法の第２実施形態を示す図である。
【００７８】
図８に示すように、 複数個のサブフィールドが一つのフレームを成して画像を表示するプラズマディスプレイパネルは、入力される映像データの変化率がしきい変化率以下でしきい時間以上持続する固着映像パターンの場合に、前述のしきい時間以後のフレームのサブフィールドのサステイン期間で、スキャン電極（Ｙ）とサステイン電極（Ｚ）の内一つ以上に供給されるサステインパルスの電圧の大きさが調節される。すなわち、一つの例で図８の正常パターンの場合はサステイン期間にスキャン電極（Ｙ）とサステイン電極（Ｚ）の内一つ以上に印加されるサステインパルスの電圧のピーク値は、Ｖｓのに比べて固着映像パターンでのサステインパルスの電圧のピークである正常パターンのＶｓより低いＶｐに印加して固着状態を低減させることができるようにする。
【００７９】
ここで固着映像パターンに対する説明は前述のようなので略する。
【００８０】
また、図示されなかったがサステイン期間でスキャン電極とサステイン電極の内一つ以上に供給されるサステインパルスが負極性であるようにして、電子に比べて重い陽イオンがサステイン電極があるパネルの方に引かれて行くことでその反対パネルの方の蛍光体に与える影響を最小化させて、蛍光体によって表示される映像に現われる固着残像をより効果的にとり除くことができる。
【００８１】
一方、前述の固着映像パターンのしきい時間によってサステインパルスの電圧の大きさを調節することもできる。これを注意深くみれば、次の図９のようである。
【００８２】
図９は本発明の第２実施形態でしきい時間とサステインパルスの電圧の大きさの相関関係を説明するための図である。
【００８３】
入力される映像データの変化率がしきい変化率以下でしきい時間以上持続する固着映像パターンの場合に、映像データの変化率がしきい変化率以下で持続する時間が増加するによってしきい時間以後のフレームのサブフィールドのサステイン期間でスキャン電極とサステイン電極の内一つ以上に供給されるサステインパルスの電圧の大きさをさらに減少させる。
【００８４】
より望ましくは前述の映像データの変化率がしきい変化率以下で持続する時間が増加するによって減少されるサステインパルスの電圧の大きさは一定するようにする。
【００８５】
図９に示すように、しきい時間以上で一定な時間間隔で二つ以上のしきい時間を設定することができる。このようなしきい時間は、第１しきい時間と、第１しきい時間より遅い第２しきい時間を含む。第１しきい時間以後前記第２しきい時間以前での前記フレームのサブフィールドの内一つ以上のサブフィールドのサステイン期間で、スキャン電極とサステイン電極の内一つ以上に供給されるサステインパルスの電圧の大きさは、第２しきい時間以後における電圧よりさらに大きくする。すなわち、しきい時間をｎ個で分けてしきい時間が増加するほど、サステインパルスの電圧の大きさを一定に減少させる。例えば、図１１のＶｓ、Ｖｐ１、Ｖｐ２、Ｖｐ３のように順に電圧の大きさを減少させて、駆動を体系的に制御することができる。
【００８６】
このように、映像データのしきい値以下の変化量が維持される時間が増加するによってパルスの電圧の大きさを減少させれば、映像データの変化率がしきい変化率以下で持続する時間が増加するによって増加する放電セル内の壁電荷分布の固着化を効果的に改善することができる。
【００８７】
上記のように本発明のプラズマディスプレイ装置は、入力される映像のパターンによってフレームのサブフィールドの内一つ以上のサブフィールドのサステイン期間で、スキャン電極とサステイン電極の内一つ以上に供給されるサステインパルスの個数またはサステインパルスの電圧の大きさをそれぞれ調節することもでき、またこれらを組み合わせて調節することで固着残像を効果的に低減させることができる。
【図面の簡単な説明】
【００８８】
【図１】従来プラズマディスプレイパネルで発生される残像を説明するための図。
【図２】本発明の一つの実施形態によるプラズマディスプレイ装置を示す図。
【図３】本発明のプラズマディスプレイ装置の画像階調を具現する方法の一例を示す図。
【図４】本発明のプラズマディスプレイ装置の駆動波形の一例を示す図。
【図５】本発明のプラズマディスプレイ装置の駆動方法の第１実施形態を示す図。
【図６】図５の本発明のプラズマディスプレイ装置の駆動波形の内でサステインパルスでエネルギー供給時間を詳しく説明するための図。
【図７】本発明の第１実施形態でしきい時間とサステインパルスの個数の相関関係を説明するための図。
【図８】本発明のプラズマディスプレイ装置の駆動方法の第２実施形態を示す図。
【図９】本発明の第２実施形態でしきい時間とサステインパルスの電圧の大きさの相関関係を説明するための図。
【図３】
2007025675.tif 000003
【図１】
2007025675.tif 000004
【図２】
2007025675.tif 000005
【図４】
2007025675.tif 000006
【図５】
2007025675.tif 000007
【図６】
2007025675.tif 000008
【図７】
2007025675.tif 000009
【図８】
2007025675.tif 000010
【図９】
2007025675.tif 000011